(57)【要約】 【課題】    小型・大容量化の障害とならずに、電気二重層コンデンサ素子の位置ズレを生じさせず、電気二重層コンデンサ自体の形状不良を発生させない絶縁ケースを有する電気二重層コンデンサの提供。【解決手段】  組み立て電極１８は、プラス側板状リード端子１、マイナス側板状リード端子２及び絶縁ケース３で構成する。絶縁ケース３をプラス側板状リード端子１とマイナス側板状リード端子２の間に配置し、プラス側電極とマイナス側電極の間に絶縁を確保させる。前記絶縁ケース３には、前記絶縁ケース３に応力が加わった時に前記絶縁ケース３内に設置される電気二重層コンデンサ素子の位置ズレを生じさせないために、複数カ所の切りかき部１６と電気二重層コンデンサ素子５を位置決めするための位置決め部１１を設ける。位置決め部１１は前記絶縁ケース３の円心中央方向に傾斜させる。【選択図】  図１
2009043875.tif 000002
【特許請求の範囲】
【請求項１】
プラスのリード端子とマイナスのリード端子と、前記２つのリード端子の間に配される底を有する円筒型の絶縁ケースを有し、前記絶縁ケース内に電気二重層コンデンサ素子を収納した電気二重層コンデンサであって、前記絶縁ケースは、側面部に複数カ所の切りかき部と、前記電気二重層コンデンサ素子を位置決めするための位置決め部を有し、前記位置決め部は、前記絶縁ケースの円心中央方向に傾斜し、前記位置決め部は、前記円心中央方向から外側に広げられた場合に、前記切りかき部に納まることを特徴とする電気二重層コンデンサ。
【請求項２】
前記絶縁ケースの側面部の切りかき部と位置決め部が３カ所以上設けられたことを特徴とする請求項１記載の電気二重層コンデンサ。
【発明の詳細な説明】
【技術分野】
【０００１】
本発明は、電気二重層コンデンサに関し、特にその絶縁ケースに関するものである。
【背景技術】
【０００２】
図４は、電気二重層コンデンサ基本セルの断面図である。基本セル１２は、集電体１４、ガスケット１５、セパレータ１７、活性炭電極１９により構成される。一般に、電気二重層コンデンサの素子の基本単位である基本セル１２には、電極として活性炭が用いられている。活性炭電極１９は、電極間のショートを防止するために、電解液中のイオンを透過するセパレータ１７を介して配置される。また、この両電極の背面に導電性の集電体１４が配置され、電解液の封止および導電性材料の絶縁のために、ゴム等の封止用弾性体（ガスケット１５）を電極の両側面に配置している。
【０００３】
図５は、電気二重層コンデンサ素子の断面図である。電気二重層コンデンサの耐電圧は、電解液の電気分解電圧によって制限されているため、通常、求められる耐電圧に応じて、例えば図５に示すように、基本セル１２が必要な枚数だけ複数枚積層され、直列接続されることにより、電気二重層コンデンサ素子５が構成される。また、電気二重層コンデンサは、基本セル１２の間の電気的な接続の安定を保つために、積層された基本セル１２からなる電気二重層コンデンサ素子５が積層方向に一定の圧力を加えられた状態で外装ケースに封止されている。
【０００４】
図９は、従来の電気二重層コンデンサ用の組み立て電極の外観斜視図であり、図１０は、従来の電気二重層コンデンサ用の組み立て電極の外観斜視図のＢ−Ｂによる断面図である。図９と図１０に示すように、組み立て電極１８は、プラス側板状リード端子１とマイナス側板状リード端子２、および底を有する円筒型の絶縁ケース１３から構成される。図１０に示すように、絶縁ケース１３はプラス側板状リード端子１とマイナス側板状リード端子２の間に配置され、プラス電極とマイナス電極の絶縁を確保する。図１０に示す組み立て電極１８には、図５に示す電気二重層コンデンサ素子５が収容され、外装ケースによって覆われる。
【０００５】
図１１は、従来の電気二重層コンデンサの断面図である。図１１に示すように、電気二重層コンデンサ２００は、図９の組み立て電極１８、電気二重層コンデンサ素子５、底を有する円筒型の外装金属ケース７、絶縁スリーブ９から構成される。
【０００６】
電気二重層コンデンサ素子５は、前記電気二重層コンデンサ素子５の一方の電極面が組み立て電極１８の内側の底面にあるプラス側板状リード端子１と接するように内蔵される。電気二重層コンデンサ素子５を内蔵した組み立て電極１８の上部開口部は、マイナス側板状リード端子２と電気接合する外装金属ケース７にて封口される。外装金属ケース７の内側の底面は、電気二重層コンデンサ素子５の組み立て電極１８に接している面とは逆の面と電気的に接合される。また、外装金属ケース７の側面と電気二重層コンデンサ素子５の側面との間は、絶縁ケース１３を挟むことで、接触やショートが防止される。なお、絶縁ケース１３は電気二重層コンデンサ素子５の電極面に接続された一対のプラス側板状リード端子１とマイナス側板状リード端子２の接触やショートをも防止している。さらに、外装金属ケース７をカシメ封口することにより、電気的な接合部を一定圧力で保持する構造となっている。
【０００７】
外装金属ケース７をカシメ封口する際には、図１１のＣの方向（電気二重層コンデンサ素子５の積層方向）に一定の圧力を加え、外装金属ケース７の開口部の縁を同図のＤの方向の内側に向かって絞める。ここで、図１１では隙間が空けられて示されているが、このＣ方向の圧力によって隙間はなくなり、外装金属ケース７の内側の底面は、電気二重層コンデンサ素子５の組み立て電極１８のプラス側板状リード端子１に接している面と逆の面と接し、電気的に接合される。また、このＣ方向の圧力で、電気二重層コンデンサ素子５を構成する基本セル１２の間の電気的な接合の安定も保たれる。ただし、電気二重層コンデンサ素子５を絶縁ケース１３に設置し、カシメ封口の際に電気二重層コンデンサ素子５が変形するとともに、絶縁ケース１３にも応力が加わるため、電気二重層コンデンサ素子５の位置ズレが生じると、電気二重層コンデンサ２００自体の形状不良が発生する恐れがあるので、カシメ封口前に、電気二重層コンデンサ素子５の位置ズレを生じさせないように制御する必要がある。
【０００８】
例えば、特許文献１では、電気二重コンデンサのガスケット内でのセパレータの位置決めと場所は上記と異なるが、ガスケットの内側面に波形面を形成して、波形面をセパレータに接触させてセパレータを支持し、位置決めする方法が記載されている。このように、絶縁ケース１３と電気二重層コンデンサ素子５の位置決めのために、絶縁ケース１３の内側面に波形面を設けて位置決めを行うことにより位置ズレを生じさせないようにすることも可能である。
【０００９】
【特許文献１】特開平３−６００９号公報
【発明の開示】
【発明が解決しようとする課題】
【００１０】
しかしながら、特許文献１のようなガスケットの内側面に位置決め用の波形面を設ける方法では、内部に入るものは波形面の大きさで規定されることになる。例えば、絶縁ケース１３と電気二重層コンデンサ素子５の位置決めのために、絶縁ケース１３の内側面に波形面を設けて位置決めを行うことを想定してみる。この場合、絶縁ケース１３の大きさが一定の場合、前記絶縁ケース１３内に構成される電気二重層コンデンサ素子５の容積は、位置決め用の波形面を入れない時と入れる時とでは差があり、前記波形面を入れた時の電気二重層コンデンサ素子５の容積は、前記波形面を入れない時と比べて小さくなるため、電気二重層コンデンサの小型・大容量化の障害となる。
【００１１】
また、従来の製造工程では、特に位置決め用の波形面等がないので、電気二重層コンデンサ素子５を前記絶縁ケース１３内に位置決め・圧着する場合には、手作業の工程が必要なため、作業工数が多くかかるという問題があった。
【００１２】
本発明は、前述した問題点に鑑みてなされたもので、小型・大容量化の障害とならずに、電気二重層コンデンサ素子の位置ズレを生じさせず、電気二重層コンデンサ自体の形状不良を発生させない製造容易な絶縁ケースを有する電気二重層コンデンサの提供を目的とする。
【課題を解決するための手段】
【００１３】
本発明は、プラスのリード端子とマイナスのリード端子と、前記２つのリード端子の間に配される底を有する円筒型の絶縁ケースを有し、前記絶縁ケース内に電気二重層コンデンサ素子を収納した電気二重層コンデンサであって、前記絶縁ケースは、側面部に複数カ所の切りかき部と、前記電気二重層コンデンサ素子を位置決めするための位置決め部を有し、前記位置決め部は、前記絶縁ケースの円心中央方向に傾斜し、前記位置決め部は、前記円心中央方向から外側に広げられた場合に、前記切りかき部に納まることを特徴とする電気二重層コンデンサである。
【００１４】
また、本発明は、前記絶縁ケースの側面部の切りかき部と位置決め部が３カ所以上設けられたことを特徴とする電気二重層コンデンサである。
【００１５】
また、本発明は、前記位置決め部が前記電気二重層コンデンサ素子と接して固定されることにより、前記電気二重層コンデンサ素子は外装金属ケースと接することのない構造となっている。
【発明の効果】
【００１６】
本発明によれば、カシメ封口時の電気二重層コンデンサ素子の変形による応力等から生ずる絶縁ケース内に設置された電気二重層コンデンサ素子の位置ズレを防ぐことができ、また電気二重層コンデンサ自体の形状不良を防止でき、かつ電気二重層コンデンサの小型・大容量化の障害とならない絶縁ケースを有する製造容易な電気二重層コンデンサを提供することができる。
【発明を実施するための最良の形態】
【００１７】
本発明の実施の形態に係る絶縁ケースについて、図面を参照しながら以下に説明する。
【００１８】
図１は、本発明の実施の形態に係る電気二重層コンデンサ用の組み立て電極の斜視図であり、図２は、本発明の実施の形態に係る電気二重層コンデンサ用の組み立て電極のＡ−Ａによる断面図である。図１と図２に示すように、組み立て電極８は、プラス側板状リード端子１、マイナス側板状リード端子２及び絶縁ケース３で構成する。プラス側板状リード端子１はプラス電極側の端子、マイナス側板状リード端子２はマイナス電極側の端子である。
【００１９】
絶縁ケース３は、プラス側板状リード端子１とマイナス側板状リード端子２の間に配置することで、プラス側電極とマイナス側電極の間に絶縁部を確保させる。絶縁ケース３の材料には、ポリアセタール、ＰＰＳ（ポリフェニレンサルファイド）、ＬＣＰ（液晶ポリマー）等のエンジニアリングプラスチックが好適に使用可能である。
【００２０】
絶縁ケース３には、電気二重層コンデンサ（図示せず）の組み立て時に前記絶縁ケース３内に設置される電気二重層コンデンサ素子（図示せず）の位置決めを容易にし、外装金属ケース７（図示せず）のカシメ封口時に位置ズレを生じさせないために、複数カ所の位置決め部１１を設ける。図１に示すように、切りかき部１６と位置決め部１１が絶縁ケース３の３カ所に設けられ、位置決め部１１は前記絶縁ケース３の円心中央方向に傾斜しており、切りかき部１６の方が位置決め部１１と同形状もしくは大きく形成され、位置決め部１１が絶縁ケース３の中心中央から外方に力が加えられた時に切りかき部１６に納まるようになっている。また、位置決め部１１と切りかき部１６がほぼ同じ大きさであれば、電気二重層コンデンサ素子５と外装金属ケース７との接触も起こり難い。
【００２１】
図３は、本発明の実施の形態に係る電気二重層コンデンサの断面図である。電気二重層コンデンサ１００は、組み立て電極８の絶縁ケース３内に電気二重層コンデンサ素子５が収納され、外装金属ケース７を被せられて、絶縁スリーブ９で覆われている。電気二重層コンデンサ素子５およびこれを構成する基本セル１２は、従来と同じものを用いることができる。
【００２２】
図４は、図５の基本セル１２を拡大したものであるが、セパレータ１７を対になった電解液を含む活性炭電極１９で挟み、その両端をガスケット１５で支持し、上下の両背面に、対になった電気的接合のための集電体１４をサンドイッチ状に配置する。次いで、図５に示すように、図４の基本セル１２を複数枚積層し、直列接続することによって電気二重層コンデンサ素子５を構成する。この電気二重層コンデンサ素子５が、図３に示されるように、絶縁ケース３内に収納される。このように、電気二重層コンデンサ素子５は従来と同じ物を用いればよい。
【００２３】
図６は、本発明の実施の形態に係る絶縁ケースの位置決め部と切りかき部の拡大した説明図である。図６に示すように、絶縁ケース３は、位置決め部端部１１ａで切断された形状の位置決め部１１と切りかき部１６を有する。前記位置決め部１１は、前記絶縁ケース３から前記位置決め部端部１１ａを境に切り離され、前記絶縁ケース３の外側から円心中央方向に傾斜するように押し込まれた形状に成形するとよい。このような形状とすると、カシメて素子が膨らんだ時に、位置決め部１１が切りかき部１６にちょうど納まることになる。
【００２４】
例えば、位置決め部１１は、本発明の実施の形態に係る絶縁ケース３の成形時に、始めから金型を用いて樹脂成形することで、前述の前記絶縁ケース３の外側から円心中央方向に傾斜するように押し込まれた形状として作製し、電気二重層コンデンサ素子（図示せず）が前記位置決め部１１と接して位置決めされるようにする。なお、前記絶縁ケース３の前記位置決め部１１は、電気二重層コンデンサ素子を設置する際に、位置決めのために仮固定されていればよく、外装金属ケース（図示せず）が取り付けられ、カシメ封口する時には、前記位置決め部１１で電気二重層コンデンサ素子を強固に固定しなくてもよく、位置決め部１１は押し込まれて切りかき部１６にちょうど納まるようになっていれば、圧力が加わって前記絶縁ケース３が破れるようなことや、電気二重層コンデンサ素子が外装金属ケース（図示せず）と接するようなことがなく、ショート等の不良が生じない。
【００２５】
図７は、本発明の実施の形態に係る絶縁ケースに電気二重層コンデンサ素子を設置した電気二重層コンデンサの上観図である。図７に示す例では、切りかき部１６と位置決め部１１を３カ所設け、前記位置決め部１１の３カ所で前記電気二重層コンデンサ素子５を固定している。また、位置決め部１１は切りかき部１６に納まる大きさになっているので、押し広げられても余裕があり、絶縁ケース３の破れにつながらない。また、位置決め部１１により、内部に入る電気二重層コンデンサ素子の容積を大きく減少させることにならない。これにより、前記電気二重層コンデンサ素子５は外装金属ケースと接することのない構造となる。
【００２６】
図７では、切りかき部１１は絶縁ケース３の側面部に３カ所設ける場合について説明をしたが、切りかき部１１は複数あってもよい。図８は、本発明の実施の形態に係る絶縁ケースに位置決め部と切りかき部を４カ所設けた絶縁ケースに電気二重層コンデンサ素子を設置した電気二重層コンデンサの上観図である。図８に示すように、絶縁ケース３の側面部に切りかき部１６と位置決め部１１の組を４カ所設けることで、前記電気二重層コンデンサ素子５の位置ズレを防いでもよい。これ以上設けても構わないが、位置決めのバランスを取るためには回転対称に設けることが望ましい。
【実施例】
【００２７】
本発明の実施例における電気二重層コデンサ素子は、直径８．２ｍｍ素子を用い、絶縁ケースは６Ｔナイロンを用い、電気二重層コデンサ素子が接触する底面が直径８．７ｍｍの製品を選定してカシメ封口を行い、製品形状不良の発生数を比較した。本発明の実施例における絶縁ケースは、従来の絶縁ケースに６カ所を切断し、３カ所の位置決め部と３カ所の切りかき部を設けて製作し、位置決め部を絶縁ケースの円心中央部に傾けた状態で加熱して製作した。
【００２８】
このようにして製作した電気二重層コンデンサと従来の電気二重層コンデンサを各１０００個ずつカシメ封口したところ、従来の電気二重層コンデンサは４個の製品形状不良が発生したのに対し、本発明における絶縁ケースを使用した電気二重層コンデンサは、カシメ封口時の製品形状不良が１０００個中０個と不良の発生は確認されなかった。また、位置決め部が設けられているため、実施例の場合は電気二重層コンデンサ素子をはめ込んだだけで位置決めされるので、作業性は非常に良好であった。
【００２９】
以上、添付図面を参照しながら、本発明に係る絶縁ケースの好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【図面の簡単な説明】
【００３０】
【図１】本発明の実施の形態に係る電気二重層コンデンサ用の組み立て電極の斜視図。
【図２】本発明の実施の形態に係る電気二重層コンデンサ用の組み立て電極のＡ−Ａによる断面図。
【図３】本発明の実施の形態に係る電気二重層コンデンサの断面図。
【図４】電気二重層コンデンサの基本セルの断面図。
【図５】電気二重層コンデンサ素子の断面図。
【図６】本発明の実施の形態に係る絶縁ケースの位置決め部と切りかき部の拡大した説明図。
【図７】本発明の実施の形態に係る絶縁ケースに電気二重層コンデンサ素子を設置した電気二重層コンデンサの上観図。
【図８】本発明の実施の形態に係る絶縁ケースに位置決め部と切りかき部を４カ所設けた絶縁ケースに電気二重層コンデンサ素子を設置した電気二重層コンデンサの上観図。
【図９】従来の電気二重層コンデンサ用の組み立て電極の外観斜視図。
【図１０】従来の電気二重層コンデンサ用の組み立て電極の外観斜視図のＢ−Ｂによる断面図。
【図１１】従来の電気二重層コンデンサの断面図。
【符号の説明】
【００３１】
１    プラス側板状リード端子
２    マイナス側板状リード端子
３，１３    絶縁ケース
５    電気二重層コンデンサ素子
７    外装金属ケース
８，１８    組み立て電極
９    絶縁スリーブ
１１    位置決め部
１１ａ    位置決め部端部
１２    基本セル
１４    集電体
１５    ガスケット
１６    切りかき部
１７    セパレータ
１９    活性炭電極
１００，２００    電気二重層コンデンサ
【図１】
2009043875.tif 000003
【図２】
2009043875.tif 000004
【図３】
2009043875.tif 000005
【図４】
2009043875.tif 000006
【図５】
2009043875.tif 000007
【図６】
2009043875.tif 000008
【図７】
2009043875.tif 000009
【図８】
2009043875.tif 000010
【図９】
2009043875.tif 000011
【図１０】
2009043875.tif 000012
【図１１】
2009043875.tif 000013